(57)【要約】【課題】津波に対抗できる強度をもつシェルター外殻で避難室を覆うことを前提とし、該避難室が予想される津波の高さよりも低い低コストのものとしても避難者が安全に保たれるようにした津波用シェルターを提供する。【解決手段】地上乃至建物の低階層に、津波に対抗できる強度のシェルター外殻２で覆われ、出入り可能な通行用開口部３を有する避難室４を設置する。該避難室内には津波水により浮上可能にした浮き床１０を配設し、避難室に設けた通気開口の上限より上方のシェルター外殻２内空間を避難空間Ｓとして、上記浮き床の床板８が該避難空間内まで浮上可能なものとし、上記避難空間の外側を覆うシェルター外殻を非通気とし、上記シェルター外殻を支持するシェルター基台５に、津波水を床板８の下側の空間部１３に流入させる津波水受入口１４，１５を離散的に開設する。【選択図】図１
2014043746.tif 000002
【特許請求の範囲】
【請求項１】
地上乃至建物の低階層に、津波に対抗できる強度をもつシェルター外殻で覆われ、出入り可能な通行用開口部を有する避難室を設置し、
該避難室内には、床板の下面にフロートを取り付けて該避難室内を津波水により浮上可能にした浮き床を配設すると共に、該浮き床の浮上による昇降範囲で避難室に設けられた通気開口の上限より上方のシェルター外殻内空間を避難空間として、少なくとも上記床板が該避難空間内まで浮上可能なものとして該シェルター外殻を構成し、
少なくとも上記避難空間の外側を覆うシェルター外殻を非通気とし、
上記シェルター外殻を支持するシェルター基台に、津波水を外部から床板の下側の空間部に流入させる津波水受入口を離散的に開設した、
ことを特徴とする津波用シェルター。
【請求項２】
浮き床とシェルター外殻との間に、該浮き床上の避難者の安全を保持できる高さ以上に該浮き床が浮上するのを抑止する上昇限設定用ストッパ部材を設けた、
ことを特徴とする請求項１に記載の津波用シェルター。
【請求項３】
上記シェルター外殻と浮き床との間に、該浮き床における床板を水平に保持した状態で昇降させるようにガイドする昇降用ガイド機構を設けた、
ことを特徴とする請求項１または２に記載の津波用シェルター。
【請求項４】
上記津波水受入口が、上記シェルター外殻の周辺地盤面から掘削された流路を通してシェルター外殻内の浮き床の下方に設けた津波水が導入される空間部の下部に連通させた第１の津波水受入口と、該第１の津波水受入口よりも高位置においてシェルター基台の基礎部の外面に開口し、上記空間部の上部に連通させた第２の津波水受入口により形成されている、
ことを特徴とする請求項１〜３のいずれかに記載の津波用シェルター。
【請求項５】
地上乃至建物の低階層に、津波に対抗できる強度をもつシェルター外殻で覆われ、下位に出入り可能な通行用開口部を有する避難室を設置し、
該避難室内の上部には、該避難室に設けられた通気開口の上限より上方に、そこに昇降できる昇降設備を付設した固定的な床板を設けて、該床板上に避難空間を形成し、
少なくとも上記避難空間の外側を覆うシェルター外殻を非通気とした、
ことを特徴とする津波用シェルター。
【請求項６】
上記建物が、多数人の就業域または居住域を備えたビル、工場、あるいは集合住宅であり、上記避難室が上記建物内の一部に設けられている、
ことを特徴とする請求項５に記載の津波用シェルター。
【発明の詳細な説明】
【技術分野】
【０００１】
本発明は、巨大津波に対処し、緊急に避難できるようにした津波用シェルターに関するものである。
【背景技術】
【０００２】
洋上における津波の進行速度は非常に速く、震央を中心に同心円的に広がる津波の速さｖは、√ｇＨ（但し、ｇ：重力加速度、Ｈ：水深）で表され、例えば、津波が進行する海の平均水深を４０００ｍとすれば、平均秒速約２００ｍで押し寄せるとされている。このような津波から避難するための施設が地方自治体等において種々の形態のものとして提供されているが、一般的には比較的遠い高台に徒歩で避難するしかなく、しかも、地震警報が発せられる都度その高台等に急いで避難するのは肉体的及び精神的な苦痛を伴うものであり、上記津波の速度を勘案すると現状の避難施設は緊急性及び容易避難性に欠け、あるいは高齢者や歩行困難者には利用困難な避難場所ないし避難施設であり、そのため、近年の大きな津波においては多数の死者や行方不明者を出している。
【０００３】
また、津波の波高よりも高いビル等で津波に対して大きな強度を発揮する建築物が生活環境の近隣に点在している場合には、その上層階に駆け上がるのが津波から避難するために有効ではあるが、津波が到来する地域にそのような建築物が多数点在していることは少なく、たとえそれらが存在していても、誰しもそれに駆け上がれるとは限らない。
【０００４】
特に、津波による人的被害の多くは、上述したように津波の進行速度が非常に速く、それに比して避難場所への到達に時間を要することに起因して、高齢者や歩行困難者に限らず、健常者や避難誘導者らも逃げ遅れることに主たる原因があり、そのため、住民の生活環境に非常に近い場所に、望ましくは生活環境に接続して設置され、簡易に、しかも短時間で避難できる避難場所を、低コストで確保することが望まれる。
【０００５】
上述した問題に対処し、従来から、例えば、特許文献１及び特許文献２に開示されているように、避難コンテナや家屋等を津波に浮上させるように構成する技術が提案されている。
しかしながら、特許文献１の津波シェルターのように、津波対策としてのみ利用するものを本来の住居とは別に建設することは、一般の住民において経済的観点から困難性があり、一方、特許文献２のような構成では、破壊力が極めて大きい巨大な津波に家屋自体が直接的に曝され、特に、家屋等の側面から津波を受けることから、それらの破壊が問題になるだけでなく、それらが破壊されないとしてもガイドに沿って海面上に浮上する保証もなく、確実に津波から避難できるかどうか疑問がある。
【先行技術文献】
【特許文献】
【０００６】
【特許文献１】特開２０１１−１０６１４２号公報
【特許文献２】実開平７−１６８６１号公報
【発明の概要】
【発明が解決しようとする課題】
【０００７】
本発明の技術的課題は、津波に対抗できる強度をもち、あるいは該強度を持つように補強された最小限のシェルター外殻で避難室を覆うことを前提とし、しかも、該避難室を予想される津波の波高よりも低い低コストのものとして設置しても避難者が安全に保たれるようにした津波用シェルターを提供することにある。
また、本発明の他の技術的課題は、高齢者や歩行困難者を含めて津波から避難できる避難空間を、生活環境に近い場所に、望ましくは生活環境の一部またはそれに接続して設置できるように構成し、簡易に短時間で容易に津波から避難できるようにした津波用シェルターを提供することにある。
【課題を解決するための手段】
【０００８】
上記課題を解決するため、本発明によれば、地上乃至建物の低階層に、津波に対抗できる強度をもつシェルター外殻で覆われ、出入り可能な通行用開口部を有する避難室を設置し、該避難室内には、床板の下面にフロートを取り付けて該避難室内を津波水により浮上可能にした浮き床を配設すると共に、該浮き床の浮上による昇降範囲で避難室に設けられた通気開口の上限より上方のシェルター外殻内空間を避難空間として、少なくとも上記床板が該避難空間内まで浮上可能なものとして該シェルター外殻を構成し、少なくとも上記避難空間の外側を覆うシェルター外殻を非通気とし、上記シェルター外殻を支持するシェルター基台に、津波水を外部から床板の下側空間に流入させる津波水受入口を離散的に開設した津波用シェルターが提供される。
【０００９】
本発明に係る津波用シェルターの好ましい実施形態においては、浮き床とシェルター外殻との間に、該浮き床上の避難者の安全を保持できる高さ以上に該浮き床が浮上するのを抑止する上昇限設定用ストッパ部材が設けられ、また、上記シェルター外殻と浮き床との間に、該浮き床における床板を水平に保持した状態で昇降させるようにガイドする昇降用ガイド機構が設けられる。
【００１０】
また、上記津波水受入口が、上記シェルター外殻の周辺地盤面から掘削された流路を通してシェルター外殻内の浮き床の下方に設けた津波水が導入される空間部の下部に連通させた第１の津波水受入口と、該第１の津波水受入口よりも高位置においてシェルター基台の基礎部の外面に開口し、上記空間部の上部に連通させた第２の津波水受入口とにより形成されたものとすると、津波の到来時に上記昇降用ガイド機構との共同作用にて浮き床を安定した姿勢で浮上させることができる。
【００１１】
更に、上記課題を解決するため、本発明によれば、地上乃至建物の低階層に、津波に対抗できる強度をもつシェルター外殻で覆われ、下位に出入り可能な通行用開口部を有する避難室を設置し、該避難室内の上部には、該避難室に設けられた通気開口の上限より上方に、そこに昇降できる昇降設備を付設した固定的な床板を設けて、該床板上に避難空間を形成し、少なくとも上記避難空間の外側を覆うシェルター外殻を非通気とした津波用シェルターが提供される。
上記本発明の好ましい実施形態においては、上記建物が、多数人の就業域または居住域を備えたビル、工場、あるいは集合住宅であり、上記避難室が上記建物内の一部に設けらる。
【００１２】
上記構成を有する津波用シェルターは、例えば、最大波高が２０ｍの津波を想定して建設するにしても、該津波用シェルター内の避難空間が２０ｍを超える位置になるように設置する必要はなく、それよりも低い位置までしか避難空間が配設できないとしても、シェルター外殻内における出入口等の通気開口の上限より上方に位置する内部空間は、津波の到来時にある程度の気圧上昇があるだけで、津波に対抗できる強度をもたせたシェルター外殻により避難者の安全が保たれることになる。
【発明の効果】
【００１３】
以上に詳述した本発明の津波用シェルターによれば、避難室が、津波に対抗できる強度をもつシェルター外殻で覆われているので、該避難室を予想される津波の高さよりも低い低コストのものとしても避難者の安全が確保される。
また、高齢者や歩行困難者を含めて津波から避難できる避難空間が、生活環境に近い場所に、生活環境に接続して設置できるように構成されているので、簡易に短時間で容易に津波から避難できる。
【図面の簡単な説明】
【００１４】
【図１】本発明に係る津波用シェルターの第１実施例における平常時乃至津波到来時の避難開始状態を示す縦断面図である。
【図２】同第１実施例における津波到来時の状態を示す縦断面図である。
【図３】同第１実施例の津波用シェルターの平面図である。
【図４】同第１実施例の津波用シェルターにおける津波水受入口の構成を示す断面図である。
【図５】同第１実施例における昇降用ガイド機構を構成するガイド受け及びガイド部材の態様を示す部分拡大平面図である。
【図６】本発明に係る津波用シェルターの第２実施例における津波のための避難状態を示す縦断面図である。
【図７】同第２実施例における避難室の水平断面図である。
【図８】本発明に係る津波用シェルターの第３実施例における津波のための避難状態を示す縦断面図である。
【図９】同第３実施例における津波のための避難状態を示す他の向きでの部分縦断面図である。
【図１０】同第３実施例における津波のための避難状態を示す部分平面図である。
【発明を実施するための形態】
【００１５】
図１〜図５は、本発明に係る津波用シェルターの第１実施例を示している。この第１実施例の津波用シェルター１は、平常時の居住域に連接し、あるいはその一部を改造して設置するものであって、多人数の避難者を収容するのに適しているが、少人数用のものとして構成することもできる。
【００１６】
上記津波用シェルター１は、津波に対抗できる強度をもつシェルター外殻２で覆われていて、出入り可能な通行用開口部３を含む通気開口を設けて、その内部に避難室４を形成している。上記シェルター外殻２は、必然的に上記通行用開口部３を備えるものではあるが、避難室４を日常的な使用にも供することもでき、特にその場合には、適宜通気や採光等のために通気開口を適宜設けることもできるが、以下に詳述するように、上記通行用開口部３または通気開口のうちの最高位にある開口上限まで津波の水位が上昇した後には、シェルター外殻２内の空気を圧縮しながらその水位が上昇することになり、その水位は上記開口上限における水圧とシェルター外殻２内の空気圧がバランスする水位であって、シェルター外殻２内の水位自体は津波の波高よりも非常に低いものになる。但し、少なくとも上記シェルター外殻２内における上記通気開口の上限より上方に位置する内部空間（避難空間Ｓ）の外側を覆うシェルター外殻２を非通気の素材で形成し、頑丈で高い気密性を持っているものとしておくことが必要である。従って、上記該通行用開口部３には津波水の進入を防ぐ扉等を設ける必要がないのは勿論である。
【００１７】
上記シェルター外殻２を支持するシェルター基台５は、後述の津波水受入口１４，１５を離散的に開設した基礎部５ａと、該基礎部５ａが上記シェルター外殻２と共に津波の破壊力に耐え得るように所要の深さまで地盤に打ち込まれた杭体部５ｂとから成るものである。
また、上記シェルター外殻２は、四方を囲む側壁部２ａ〜２ｄと、該側壁部と一体的に形成された天壁部２ｅとでボックス型に形成されている。これらの側壁部２ａ〜２ｄと天壁部２ｅとは耐力壁で形成され、図１〜図３に示すように、４つの上記側壁部２ａ〜２ｄのうち、居住域６に連接する反海側の側壁部２ｄに上記通行用開口部３が開設され、該通行用開口部３を通して居住域６の通路７とシェルター外殻２内の避難室４とが連通されている。該通行用開口部３の開口幅は、通行用開口部３を通して多数の避難者を短時間に通行させ、また、歩行困難者らをキャスター付ベッド等と共に容易に搬送できる大きさに形成される。
【００１８】
図１に示すように、上記避難室４は、平常時に居住域の１階に相当する高さに設けられているのが望ましく、この避難室４内には、床板８の下面にフロート９を取り付けて該避難室４内を津波水により浮上可能にした浮き床１０を配設している。上記浮き床１０は、上記フロート９の作用により津波到来時にシェルター外殻２内の避難室４を床板８が昇降するようにし、該床板８の上面に形成される避難場所を津波から退避させるものである。そして、平常時には、矩形平板状に形成された床板８が、上記シェルター基台５の上記基礎部５ａの周囲に形成された床座１１に載置され、該床板８と居住域の通路７の床面との間は段差のない納まりとなっているので、避難者がキャスター付ベッドや車いす等を利用する場合でも両区域間を容易に移動することができる。なお、上記通路７を居住域の２階等の低階層に相当する高さに設置し、その高さに応じて上記避難室４を居住域の１階に相当する高さよりも高い位置に設けることもできる。
【００１９】
上記床板８とシェルター外殻２の内底に設けた基礎部底面１２との間には、上記床板８の下面に設けたフロート９が配されると共に、浮き床１０の床板８が床座１１に載置された状態にあるときに、上記フロート９の周囲に前記津波水受入口１４，１５を通して津波水が導入されるように形成された空間部１３が設けられている。
上記フロート９は、発泡スチロール等により形成した直方体状の浮力材であって、上記浮き床１０をその上に載置された什器備品並びに多数の避難者と共に津波水に浮上させるに必要な浮力を有するものとして、平面視で上記床板８の寸法より一回り小さい矩形状に形成され、浮き床１０の昇降時のバランスを保つ為に、該バランスを考慮して上記床板８に取り付けられる。また、このフロート９は、上記床板８の下側空間部１３への津波の流入による衝撃で破損するのを避けるため、例えば、ステンレス板等の高耐食性を有する金属板で周囲を囲むなどの養生をすることが望まれる。
【００２０】
上記浮き床１０の床板８に上記フロート９を取り付けることにより、津波到来時には、図２に示すように、上記空間部１３を通してシェルター外殻２内に流入した津波水によって該浮き床１０が避難室４内において浮上し、津波が予想される波高程度に高くなっても、シェルター外殻２における出入口等の通気開口の上限より上方に位置する避難空間Ｓまで浮上して浮き床１０上の避難者を安全に保護することができ、また、津波が引くときには、避難室４内を上記空間部１３から流出する津波の水位低下に応じて浮き床１０を下降させ、該浮き床１０をもとの位置に復帰させるものである。
【００２１】
上記シェルター基台５には、津波水が外部から床板８の下側の空間部１３に導入されるように、前記津波水受入口１４，１５が離散的に開設されている。更に具体的に説明すると、該津波水受入口１４，１５は、図１〜図４に示すように、シェルター外殻２の通行用開口部３側を除く３方側（側壁部２ａ〜２ｃ側）にそれぞれ設けられたもので、それらの津波水受入口のうちの第１の津波水受入口１４は、上記シェルター外殻２の周辺地盤面から掘削された流路１６を通してシェルター外殻２の内底に設けた津波水が導入される空間部１３の下部に連通させ、また、他方の第２の津波水受入口１５は、上記第１の津波水受入口１４よりも高位置においてシェルター基台５の基礎部５ａの外面に開口し、上記空間部１３の上部に直接連通させたものであり、それらの外側開口縁にはそれぞれ格子蓋１４ａ，１５ａが取り付けられている。
【００２２】
このように、上記シェルター外殻２の周辺地盤面から掘削された流路１６を通してシェルター外殻２内の浮き床１０の下方の空間部１３の下部に連通させた第１の津波水受入口１４と、上記空間部１３の上部に連通させた第２の津波水受入口１５とを設けると、津波の到来時に、津波水がまず上記第１の津波水受入口１４から空間部１３の下部に流入してフロート９の上昇を開始させ、続いて上記空間部１３の上部に連通させた第２の津波水受入口１５からの津波水の流入により速やかに、しかも、浮き床１０を安定した姿勢で浮上させることができる。また、津波が引いた後に空間部１３に残る津波水は、空間部１３に連通している流路１６を通して第１の津波水受入口１４から容易に排出することができる。
【００２３】
上記両津波水受入口１４，１５によれば、津波の到来時には、上記津波水受入口１４から浸入した津波水が上記流路１６を通して空間部１３の下部に流入して、上記浮き床１０をシェルター外殻２内において浮上させ、その後、津波水受入口１５からの津波水は空間部１３の上部に流入するが、フロート９はそれ以前に浮上しているので、養生したフロート９の側面に津波水が勢いよく衝突してそれを損傷させるのを可及的に防止することができる。また、上述のように、津波水受入口１４，１５を複数設けることで、例えば、津波水により流された流木や家具等の漂流物により一部の津波水受入口が塞がれた場合であっても、津波水を他の津波水受入口から速やかに下側空間部１３に流入させることができ、一部の津波水受入口１４，１５のみからの流入により浮き床１０の姿勢が不安定になるのを抑止することができる。
【００２４】
上述のように、浮き床１０の下側の空間部１３内に津波水が流入して浮き床１０を浮上させる場合に、そのまま浮き床１０が上昇し続けるとシェルター外殻２の天壁部２ｅに達するおそれもあり、そこで、図１〜図３に示すように、上記浮き床１０には、それが最上位に達したときにシェルター外殻２の天壁部２ｅに当接する上昇限設定用のストッパ部材１７を設けている。これにより、該浮き床１０上の避難者の安全を保持できる高さ以上に該浮き床１０が浮上するのを抑止することができる。上記ストッパ部材１７は、上記浮き床１０の４つの角隅部に設けた鉄柱の上端により形成され、避難空間の上部を覆う室内天井部１８よりも上方に突出させ、それをシェルター外殻２の天壁部２ｅの一部により形成される天壁部側ストッパ部材に突き当てるようにしているが、それらのストッパ部材は他の任意位置に設けることもできる。
【００２５】
また、図１〜図３に示すように、上記浮き床１０の４つの角隅部においては、上記シェルター外殻２と該浮き床１０との間に、該浮き床１０における床板８を水平に保持した状態で昇降させるようにガイドする昇降用ガイド機構１９が設けられている。上記昇降用ガイド機構１９は、シェルター外殻２側の４つの各角隅部に設けられたガイド受け１９ａと、浮き床１０側に設けられたガイド部材１９ｂとから構成されている。
【００２６】
上記シェルター外殻２側のガイド受け１９ａは、図３及び図５に示すように、シェルター外殻２の内側の４つの角隅に設けられた矩形柱状の張出部から成るものであり、図１及び図２に示すように、上記浮き床１０の床板８からシェルター外殻２の天壁部２ｅまで直交平面状に延びる側面２０，２０により形成され、後述のガイドローラ２３が接触する案内面を形成するものである。
【００２７】
一方、上記浮き床１０側のガイド部材１９ｂは、床板８の上面の周壁を形成する室内側壁２１の各角隅に上下方向に設けられ、図５に示すように、該ガイド部材１９ｂは、上記各角隅からシェルター外殻２の角隅に向って延出する一対の支持アーム板２２，２２と、該支持アーム板２２，２２間に配設された上下一対のガイドローラ２３とを有し、各ガイドローラ２３が、上記一対の支持アーム板２２，２２の先端部間に取り付けられた上下一対の支軸２４により、それぞれ該支軸２４を中心にして回動自在なるように構成されている。上記一対のガイドローラ２３は、その外周面２５に、上記ガイド受け１９ａの直交する側面２０，２０に適合するＶ字状の凹みが形成されており、該ガイドローラ２３の外周面２５が上記ガイド受け１９ａの両側面２０，２０に接触して転がるように構成されている。
【００２８】
このように、上記シェルター外殻２内側の４つの各角隅で、ガイド部材１９ｂの上下２段のガイドローラ２３，２３を、その外周面２５がガイド受け１９ａの側面２０，２０に沿って転動するよう構成すれば、浮き床１０の昇降時の姿勢の揺れが規制され、昇降動作を安定させることができる。
【００２９】
上記構成を有する津波用シェルター１は、津波の到来時に、シェルター外殻２内において、シェルター基台５に設けられた津波水受入口１４，１５等から流入する津波水による空間部１３内の水位上昇に伴い、フロート９を具備する浮き床１０がシェルター外殻２内の空間を上記昇降用ガイド機構１９によりガイドされて上昇し、津波の水位が前記通行用開口部３または必要に応じて設けた通気開口のうちの最高位にある開口上限に達するまでは、浮き床１０が津波に浮上した状態にあって、シェルター外殻２内の浮き床１０上の空間が大気圧に保持されるが、津波の水位が上記開口上限を超えて上昇した後には、シェルター外殻２内の空気が圧縮されながら水位が上昇することになり、シェルター外殻２内の水位は上記開口上限における水圧とシェルター外殻２内の空気圧がバランスする水位であって、シェルター外殻２内の水位自体は、津波の波高よりもある程度低いものになる。つまり、津波の水位の上昇に伴ってシェルター外殻２内の浮き床１０上の避難空間Ｓの体積が次第に減少し、その体積の減少に反比例して避難空間Ｓ内が加圧される。
【００３０】
例えば、図２に示すように、シェルター外殻２内の平面積がＡｍ２（この第１実施例では１５５ｍ２程度を想定）で、シェルター外殻２の天壁部２ｅの内面の地上からの高さが９．４ｍ、通行用開口部３の開口上限からのシェルター外殻２の天壁部２ｅの内面の高さが６ｍであり、海水の比重が１．０３、大気圧がほぼ１０１３ｈＰａであるとすると、シェルター１の高さを超える波高２０ｍクラスの津波が到来した場合に、「一定温度における気体の圧力は体積に反比例する」というボイルの法則に基づき、シェルター外殻２内に流入した津波水の水面がシェルター外殻２の天壁部２ｅの内面からほぼ３．６ｍの高さに達し、当初１０１３ｈＰａであった避難空間Ｓの圧力がほぼ１６８０ｈＰａ程度まで昇圧される。この圧力は、人が海中に潜る場合に一般的に体験する程度のものであるが、現実的には想定される津波の最大波高とそれが到来したときの避難空間Ｓの圧力設定値に基づいて各部寸法の設計がなされるべきである。
【００３１】
このように、予想される津波の波高が上記シェルター１の天井高さを超えている場合であっても、該津波用シェルター１内の避難空間Ｓがその波高を超える位置になるように設置する必要はなく、それよりも低い位置までしか避難しないように避難空間Ｓを設置しても、該避難空間Ｓはある程度の気圧上昇があるだけであり、津波に対抗できる強度をもつシェルター外殻２を小型にしながら避難者の安全を保つことができる。
また、高齢者や歩行困難者を含めて津波から避難できる避難空間を、生活環境に近い場所に、生活環境に接続して設置できるように構成し、簡易に短時間で容易に津波から避難することが可能になる。
【００３２】
次いで、図６及び図７に基づき、本発明に係る津波用シェルターの第２実施例について説明する。但し、ここでは、説明の重複を避けるため、図における上記第１実施例と実質的に同じ構成要素に同じ符号を付し、それらの構成要素及びそれらに基づく作用効果については詳細な説明を省略する。
この第２実施例に係る津波用シェルター３０が上記第１実施例の津波用シェルター１と異なる主要点は、第１実施例ではシェルター外殻２内で浮き床１０が昇降するのに対し、この第２実施例では、固定的な床板３１を設けて更に簡易化している点である。
【００３３】
即ち、上記津波用シェルター３０は、主に、個人宅等に設置される比較的小型で予想される津波の波高が比較的低い地域に設置するのに適するもので、地上乃至建物の低階層に設けた津波に対抗できる強度をもつシェルター外殻２内の避難室４の下位に出入り可能な通行用開口部３を設け、該シェルター外殻２内における上記通行用開口部３の上限より上方に位置させて、そこに昇降できる階段３２等の昇降設備を付設した固定的な床板３１が設けられ、この床板３１上に避難空間Ｓが形成され、該避難空間Ｓの外側を覆うシェルター外殻２が非通気の素材により形成されている。
【００３４】
従って、避難者は、通行用開口部３を通じて外部と避難室４とを行き来可能に形成されていて、該避難室４を日常生活においても利用することができ、津波到来時には、上記通行用開口部３から津波水が浸入するので、階段３２を登った２階の避難空間Ｓに退避すればよい。
なお、この第２実施例の場合も、第１実施例の場合に比して床板が昇降しないだけであるから、上記第１実施例について説明したと同様な考え方で、想定される津波の最大波高とそれが到来したときの避難空間Ｓの昇圧が許容できる圧力設定値に基づいて、各部寸法の設計がなされるべきである。
【００３５】
図８〜図１０は、本発明に係る津波用シェルターの第３実施例を示すものである。この第３実施例における津波用シェルター４０は、多数人を収容可能な事業所や病院、多数世帯の居住域である集合住宅等の建物の一部に付設する点で、第２実施例とは異なっているが、避難空間Ｓを形成する床板３１が固定的のものである点では上記第２実施例と同様である。
【００３６】
具体的には、上記建物が、多数人の就業域または居住域を備えたビル、工場、あるいは集合住宅であり、上記避難室４が該建物内の一部である地上乃至は建物の低階層にに設けられる。この第３実施例では、シェルター外殻２によって区画された複数の避難室４が形成され、また、複数の避難空間Ｓは、それぞれ１階と２階との間の中間階層に配設されていて、津波到来時には、各避難空間Ｓに通じる階段３２を登って該避難空間Ｓに退避することになる。なお、上記避難空間Ｓの一部は、非常用食料や非常用薬品の保管庫に供することもできる。
この第３実施例の場合でも、上記第１実施例について説明したと同様な考え方で、想定される津波の最大波高とそれが到来したときの避難空間Ｓの昇圧が許容できる範囲の圧力設定値に基づいて、各部寸法の設計がなされるべきである。
【００３７】
以上、本発明に係る津波用シェルターの実施形態について詳細に説明したが、本発明は上記各実施形態に限定されるものではなく、本発明の趣旨を逸脱しない範囲において様々な設計変更が可能なものである。
【符号の説明】
【００３８】
１，３０，４０    津波用シェルター
２    シェルター外殻
３    通行用開口部
４    避難室
５    シェルター基台
８，３１    床板
９    フロート
１０    浮き床
１３    空間部
１４，１５    津波水受入口
１７    上昇限設定用ストッパ部材
１９    昇降用ガイド機構
３２    階段
Ｓ    避難空間
【図１】
2014043746.tif 000003
【図２】
2014043746.tif 000004
【図３】
2014043746.tif 000005
【図４】
2014043746.tif 000006
【図５】
2014043746.tif 000007
【図６】
2014043746.tif 000008
【図７】
2014043746.tif 000009
【図８】
2014043746.tif 000010
【図９】
2014043746.tif 000011
【図１０】
2014043746.tif 000012